(57)【要約】【課題】  屋内用と屋外用を１本で兼用することができる光ファイバドロップケーブルを提供すること。【解決手段】  光ファイバ心線と、該光ファイバ心線を挟んでその両側に配置される少なくとも１対の抗張力体と、前記光ファイバ心線と前記抗張力体とを被覆する第１のケーブルシースとを有し、更に、支持線と、前記第１のケーブルシースと前記支持線とを被覆する第２のケーブルシースとを有する光ファイバドロップケーブルであって、前記第２のケーブルシースの表面において前記第１のケーブルシースの周囲にノッチが形成されていることを特徴とする光ファイバドロップケーブル。【選択図】        図１
2006337499.tif 000002
【特許請求の範囲】
【請求項１】
光ファイバ心線と、該光ファイバ心線を挟んでその両側に配置される少なくとも１対の抗張力体と、前記光ファイバ心線と前記第１の抗張力体とを被覆する第１のケーブルシースとを有し、更に、支持線と、前記第１のケーブルシースと前記支持線とを被覆する第２のケーブルシースとを有する光ファイバドロップケーブルであって、前記第２のケーブルシースの表面において前記第１のケーブルシースの周囲にノッチが形成されていることを特徴とする光ファイバドロップケーブル。
【請求項２】
光ファイバ心線と、該光ファイバ心線を挟んでその両側に配置される少なくとも１対の抗張力体と、前記光ファイバ心線と前記第１の抗張力体とを被覆する第１のケーブルシースとを有し、更に、支持線と、切り裂き紐と、前記第１のケーブルシースと前記支持線と前記切り裂き紐とを被覆する第２のケーブルシースとを有することを特徴とする光ファイバドロップケーブル。
【請求項３】
光ファイバ心線と、該光ファイバ心線を挟んでその両側に配置される少なくとも１対の抗張力体と、支持線とを有し、更に、前記光ファイバ心線と前記抗張力体と前記支持線とを被覆する第１のケーブルシースと、前記第１のケーブルシースを被覆する第２のケーブルシースとを有する光ファイバドロップケーブルであって、前記第２のケーブルシースの表面において、前記抗張力体と前記支持線との間の部分に一対のノッチが形成されていることを特徴とする光ファイバドロップケーブル。
【請求項４】
光ファイバ心線と、該光ファイバ心線を挟んでその両側に配置される少なくとも１対の抗張力体と、前記光ファイバ心線と前記第１の抗張力体とを被覆する第１のケーブルシースとを有し、更に、支持線と、前記第１のケーブルシースと前記支持線とを被覆する第２のケーブルシースとを有する光ファイバドロップケーブルであって、前記第２のケーブルシースを剥離するための剥離手段が設けられていることを特徴とする光ファイバドロップケーブル。
【請求項５】
前記光ファイバ心線を挟んで前記光ファイバ心線の両側、かつ、前記第１のケーブルシースの表面に、少なくとも１対のノッチが形成されており、その１対のノッチの開口部を前記第２のケーブルシースによって塞いだことを特徴とする請求項１乃至請求項４のいずれかに記載の光ファイバドロップケーブル。
【請求項６】
前記第２のケーブルシースの色が黒色であり、前記第１のケーブルシースと前記第２のケーブルシースの色が異なることを特徴とする請求項１乃至請求項５のいずれかに記載の光ファイバドロップケーブル。
【発明の詳細な説明】
【技術分野】
【０００１】
本発明は、屋外の接続点から無接続で屋内の光端末回線装置或いは光アウトレットまで接続することのできる光ファイバドロップケーブルに関するものである。
【背景技術】
【０００２】
近年、インターネットの発展により、ブロードバンドと呼ばれる高速インターネット接続の加入者数が急速に増大しており、高速インターネットアクセス網を実現するために、各加入者宅等に光ファイバケーブルの設置が進められている。従来、各加入者宅等に光ファイバケーブルが設置される場合においては、電柱等に設けられた加入者宅への引き落とし点において、架空布設用の多心ケーブルと、光ファイバ心線および支持線を備えた光ファイバドロップケーブルとを接続し、光ファイバドロップケーブルを各加入者宅の軒下等に設けられた屋外光成端箱に引き込み、そこで支持線のない前記とは別の光ファイバドロップケーブルにメカニカルスプライス等で接続して、支持線のない光ファイバドロップケーブルを屋内の光端末回線装置或いは光アウトレットまで布設していた。屋外光成端箱において、支持線を備えた光ファイバドロップケーブルと支持線の無い光ファイバドロップケーブルとを接続するのは、屋外においては、支持線が有れば、その支持線によって光ファイバドロップケーブル内の光ファイバを支持することが可能となるためであり、屋内においては、支持線が無ければ、ケーブルを壁・床等に沿わして配線しやすくなるためである。
【特許文献１】特開２００３−６８１４９号公報
【発明の開示】
【発明が解決しようとする課題】
【０００３】
しかしながら、上記記載の布設方法では、屋内用および屋外用として異なったケーブルを用意する必要があり、屋外光成端箱において接続作業を行う必要があるため、設置工事において手間および費用面での制約条件となっていた。
【０００４】
従って本発明は上記の問題に鑑み、より効率的かつ経済的に屋外の接続点から無接続で屋内の光端末回線装置或いは光アウトレットまで光ファイバケーブルを設置することを目的としている。
【課題を解決するための手段】
【０００５】
上記の問題を解決するために、請求項１記載の光ファイバドロップケーブルは、光ファイバ心線と、該光ファイバ心線を挟んでその両側に配置される少なくとも１対の抗張力体と、前記光ファイバ心線と前記抗張力体とを被覆する第１のケーブルシースとを有し、更に、支持線と、前記第１のケーブルシースと前記支持線とを被覆する第２のケーブルシースとを有する光ファイバドロップケーブルであって、前記第２のケーブルシースの表面において前記第１のケーブルシースの周囲にノッチが形成されていることを特徴とするものである。
【０００６】
請求項２記載の光ファイバドロップケーブルは、光ファイバ心線と、該光ファイバ心線を挟んでその両側に配置される少なくとも１対の抗張力体と、前記光ファイバ心線と前記第１の抗張力体とを被覆する第１のケーブルシースとを有し、更に、支持線と、切り裂き紐と、前記第１のケーブルシースと前記支持線と前記切り裂き紐とを被覆する第２のケーブルシースとを有する光ファイバドロップケーブルであることを特徴とするものである。
【０００７】
請求項３記載の光ファイバドロップケーブルは、光ファイバ心線と、該光ファイバ心線を挟んでその両側に配置される少なくとも１対の抗張力体と、支持線とを有し、更に、前記光ファイバ心線と前記抗張力体と前記支持線とを被覆する第１のケーブルシースと、前記第１のケーブルシースを被覆する第２のケーブルシースとを有する光ファイバドロップケーブルであって、前記第２のケーブルシースの表面において、前記抗張力体と前記支持線との間の部分に一対のノッチが形成されていることを特徴とするものである。
【０００８】
請求項４記載の光ファイバドロップケーブルは、光ファイバ心線と、該光ファイバ心線を挟んでその両側に配置される少なくとも１対の抗張力体と、前記光ファイバ心線と前記第１の抗張力体とを被覆する第１のケーブルシースとを有し、更に、支持線と、前記第１のケーブルシースと前記支持線とを被覆する第２のケーブルシースとを有する光ファイバドロップケーブルであって、前記第２のケーブルシースを剥離するための剥離手段が設けられていることを特徴とするものである。
【０００９】
請求項５記載の光ファイバドロップケーブルは、請求項１乃至請求項４記載の光ファイバドロップケーブルにおいて、前記光ファイバ心線を挟んで前記光ファイバ心線の両側、かつ、前記第１のケーブルシースの表面に、少なくとも１対のノッチが形成されており、その１対のノッチの開口部を前記第２のケーブルシースによって塞いだことを特徴とするものである。
【００１０】
請求項６記載の光ファイバドロップケーブルは、請求項１乃至請求項５記載の光ファイバドロップケーブルにおいて、前記第２のケーブルシースの色が黒色であり、前記第１のケーブルシースと前記第２のケーブルシースの色が異なることを特徴とするものである。
【発明の効果】
【００１１】
請求項１記載の発明によれば、前記第２のケーブルシースであって前記第１のケーブルシースの周囲を被覆する部分に形成された請求項１記載のノッチを切れ目の基点として前記第２のケーブルシースを引き裂いて、それによって、屋内配線時には前記第２のケーブルシース及びそれと共に前記支持線を剥ぎ取ることができるので、本発明の光ファイバドロップケーブルは１本のケーブルを切断することなく、長手方向の一部においては屋外用途に適した支持線付きの光ファイバドロップケーブルとして、また、長手方向の残りの部分においては屋内用途に適した支持線無しの光ファイバドロップケーブルとして使用することができる。よって、屋外の接続点から屋内の光端末回線装置まで光ファイバ心線を無接続で配線できるため、効率的かつ経済的で、しかも低損失の引落としを実現できる。
【００１２】
請求項２記載の発明によれば、前記切り裂き紐により、前記第２のケーブルシースを引き裂いて、支持線無しの光ファイバドロップケーブルを取り出すことができる。それによって、請求項１記載の発明と同様に、本発明の光ファイバドロップケーブルは１本のケーブルを切断することなく、長手方向の一部においては屋外用途に適した支持線付きの光ファイバドロップケーブルとして、長手方向の残りの部分においては屋内用途に適した支持線無しの光ファイバドロップケーブルとして使用することができる。よって、屋外の接続点から屋内の光端末回線装置まで光ファイバ心線を無接続で配線できるため、効率的かつ経済的で、しかも低損失の引落としを実現できる。
【００１３】
請求項３記載の発明によれば、前記第２のケーブルシースであって前記抗張力体と前記支持線との間の部分に形成された請求項２記載の１対のノッチ間を長手方向にわたって切断することにより、前記第２のケーブルシースを引き裂いて、支持線無しの光ファイバドロップケーブルを取り出すことができる。それによって、請求項１記載の発明と同様に、本発明の光ファイバドロップケーブルは１本のケーブルを切断することなく、長手方向の一部においては屋外用途に適した支持線付きの光ファイバドロップケーブルとして、長手方向の残りの部分においては屋内用途に適した支持線無しの光ファイバドロップケーブルとして使用することができる。よって、屋外の接続点から屋内の光端末回線装置まで光ファイバ心線を無接続で配線できるため、効率的かつ経済的で、しかも低損失の引落としを実現できる。
【００１４】
請求項４記載の発明によれば、前記第２のケーブルシースを剥離するための剥離手段を有することにより、本光ファイバドロップケーブルから前記第２のケーブルシースを剥離させて、支持線無しの光ファイバドロップケーブルを取り出すことができる。それによって、請求項１記載の発明と同様に、本発明の光ファイバドロップケーブルは１本のケーブルを切断することなく、長手方向の一部においては屋外用途に適した支持線付きの光ファイバドロップケーブルとして、長手方向の残りの部分においては屋内用途に適した支持線無しの光ファイバドロップケーブルとして使用することができる。よって、屋外の接続点から屋内の光端末回線装置まで光ファイバ心線を無接続で配線できるため、効率的かつ経済的で、しかも低損失の引落としを実現できる。
【００１５】
請求項５記載の発明によれば、屋外用途に適した支持線付きの光ファイバドロップケーブルとして使用されるときにおいて、請求項５記載のノッチの開口部が塞がれているので、屋外において蝉等がノッチ部に産卵して光ファイバが断線する事態が防止される。
【００１６】
請求項６記載の発明によれば、屋外においては前記第２のケーブルシースを最外層とすることで、その黒色によって、ケーブルの汚れが目立たなくなり、また、紫外線を透過させ難いためケーブルの内層を紫外線による劣化から保護することが可能となり、屋内においては前記第１のケーブルシースを最外層とすることで、ケーブルの色が壁などに合わせた色とすることが可能となり、屋内に布設された光ファイバドロップケーブルが目立たなくなって、美観上好ましい。
【発明を実施するための最良の形態】
【００１７】
以下、図面に基づいて本発明の実施形態を説明する。
図１は本発明の一実施形態における光ファイバドロップケーブルの断面を示している。本図において、１が光ファイバドロップケーブル、以下その構成部品であり、１１が光ファイバ心線、１２ａ及び１２ｂが抗張力体、１３が第１のケーブルシース、１４が支持線、１５が第２のケーブルシース、１６が第２のケーブルシースに形成されたノッチを示しており、１は支持線付きの光ファイバドロップケーブルであることがわかる。本実施例においては、光ファイバ心線１１は２芯であり、その両側に１対の抗張力体１２ａ、１２ｂが配置され、第１のケーブルシース１３により光ファイバ心線１１と１対の抗張力体１２ａ、１２ｂが共通被覆されており、光ファイバ心線１１に外力或いは環境温度変化などによって歪みが生じるのを防いでいる。また、第２のケーブルシース１５により第１のケーブルシース１３と支持線１４が共通被覆されており、両端或いは長手方向の複数点において支持線１４を引っ張ることによって光ファイバドロップケーブル２を支持することができる。さらに、第２のケーブルシース１５であって第１のケーブルシース１３の周囲を被覆する部分に断面Ｖ字状のノッチ１６が形成されており、ノッチ１６から第２のケーブルシース１５を引き裂いて第２のケーブルシース１５内にある第１のケーブルシース１３、すなわち支持線無しの光ファイバドロップケーブルを取り出すことができる。
【００１８】
本実施例においては、第１のケーブルシース１３であって光ファイバ心線１１を挟んでその両側に断面Ｖ字状のノッチ１７ａ及び１７ｂが形成されており、２本の抗張力体１２ａ、１２ｂを引き離す方向に力を加えることによってノッチ１７ａ及び１７ｂを切れ目の基点として第１のケーブルシース１３を引き裂いて、第１のケーブルシース１３内にある光ファイバ心線１１を取り出すことができる。さらに、第２のケーブルシース１５によって、第１のケーブルシースに形成されたノッチ１７ａ及び１７ｂの開口部が塞がれて、第２のケーブルシース１５の外表面が断面Ｖ字状でなく平滑な面となっているため、ノッチ１７ａ及び１７ｂへ蝉が産卵管を突き刺し光ファイバ心線１１に外傷を与えることがないように形成されている。
【００１９】
図２もまた本発明の一実施形態における光ファイバドロップケーブルの断面を示している。本図において、２が光ファイバドロップケーブル、以下その構成部品であり、２１が光ファイバ心線、２２ａ及び２２ｂが抗張力体、２３が第１のケーブルシース、２４が支持線、２５が第２のケーブルシース、２６が第２のケーブルシースを切り裂くための切り裂き紐を示しており、２は支持線付きの光ファイバドロップケーブルであることがわかる。本実施例においても、光ファイバ心線２１は４芯であり、その両側に１対の抗張力体２２ａ、２２ｂが配置され、第１のケーブルシース２３により光ファイバ心線２１と１対の抗張力体２２ａ、２２ｂが共通被覆されており、光ファイバ心線２１に外力或いは環境温度変化などによって歪みが生じるのを防いでいる。また、第２のケーブルシース２５により第１のケーブルシース２３と支持線２４と切り裂き紐２５とが共通被覆されており、両端或いは長手方向の複数点において支持線２４を引っ張ることによって光ファイバドロップケーブル２を支持することができるし、切り裂き紐２５により両端部から第２のケーブルシース２５を引き裂いて第２のケーブルシース２５内にある第１のケーブルシース２３、すなわち支持線無しの光ファイバドロップケーブルを取り出すことができる。
【００２０】
本実施例においても、第１のケーブルシース２３であって光ファイバ心線２１を挟んでその両側に断面三角形状のノッチ２７ａ及び２７ｂが形成されており、２本の抗張力体２２ａ、２２ｂを引き離す方向に力を加えることによって第１のケーブルシース２３を引き裂いて、第１のケーブルシース２３内にある光ファイバ心線２１を取り出すことができる。さらに、第２のケーブルシース２５によって、第１のケーブルシースに形成されたノッチ２７ａ及び２７ｂの開口部が塞がれて、第２のケーブルシース１５の外表面が断面三角形状でなく平滑な面となっているため、ノッチ２７ａ及び２７ｂへ蝉が産卵管を突き刺し光ファイバ心線２１に外傷を与えることがないように形成されている。
【００２１】
図３は本発明の別の実施形態における光ファイバドロップケーブルの断面を示している。本図において、３が光ファイバドロップケーブル、以下その構成部品であり、３１が光ファイバ心線、３２ａ及び３２ｂが抗張力体、３３が第１のケーブルシース、３４が支持線、３５が第２のケーブルシース、３６ａ及び３６ｂが第２のケーブルシースに形成されたノッチを示しており、３は支持線付きの光ファイバドロップケーブルであることがわかる。本実施例においては、光ファイバ心線３１は１芯であり、その両側に１対の抗張力体３２ａ、３２ｂが配置され、第１のケーブルシース３３によって光ファイバ心線３１と１対の抗張力体３２ａ、３２ｂに加えて支持線３４が共通被覆されている。また、第２のケーブルシース３５により第１のケーブルシース３３が被覆されており、さらに、第２のケーブルシース３５であって抗張力体３２ａと支持線３４との間の部分に２つの円弧が合わさった断面略γ字状のノッチ３６ａ及び３６ｂが形成されている。本実施例においては、上記図１に示した実施例と同様、光ファイバ心線３１と１対の抗張力体３２ａ、３２ｂが共通被覆されているため、光ファイバ心線３１に外力或いは環境温度変化などによって歪みが生じるのを防いでおり、支持線３４が光ファイバドロップケーブル３内の他の構成要素と共通被覆されているため、両端或いは長手方向の複数点において支持線３４を引っ張ることによって光ファイバドロップケーブル３を支持することができる。さらに、２つのノッチ３６ａ、３６ｂの間を長手方向にわたって切断することにより、第２のケーブルシース３５を引き裂いて、光ファイバ心線３１と抗張力体３２ａ及び３２ｂが第１のケーブルシース３３の一部によって共通被覆され一体化されたもの、すなわち支持線無しの光ファイバドロップケーブルを取り出すことができる。
【００２２】
本実施例においても、第１のケーブルシース３３であって光ファイバ心線３１を挟んでその両側に断面三角形状のノッチ３７ａ及び３７ｂが形成されており、２本の抗張力体を引き離す方向に力を加えることによって第１のケーブルシース３３を引き裂いて、第１のケーブルシース３３内にある光ファイバ心線３１を取り出すことができる。さらに、第２のケーブルシース３５によって、第１のケーブルシースに形成されたノッチ３７ａ及び３７ｂの開口部が塞がれて、第２のケーブルシース３５の外表面が断面略γ字状でなく平滑な面となっているため、ノッチへ蝉が産卵管を突き刺し光ファイバ心線３１に外傷を与えることがないように形成されている。
【００２３】
上記実施形態図１〜図３においては、外層である第２のケーブルシースが黒色、内層である第１のケーブルシースが白色である。そのため、支持線付きの光ファイバドロップケーブルとして使用される屋外においては、第２のケーブルシースを付けた状態で使用し、その黒色によって、ケーブルの汚れを目立たなくすることが可能であり、また、その黒色によって、紫外線を透過させ難いためケーブルの内層を紫外線による劣化から保護することが可能である。また、支持線無しの光ファイバドロップケーブルとして使用される屋内においては、第２のケーブルシースを剥いで第１のケーブルシースが露出するようにして使用し、その白色によって白色等淡色が多い屋内の壁・床等にケーブルを布線したときにケーブルが屋内で目立たなくすることが可能である。なお、第１のケーブルシースの色は、白色等淡色が多い屋内の壁・床等にケーブルを布線したときにケーブルが屋内で目立たない色で良いため、白色に限らず、乳白色、若草色など比較的明度の高い色であっても良い。
【００２４】
上記実施形態において示したように、図１〜図３においては、第２のケーブルシースに形成されたノッチ或いは切り裂き紐を利用して、外層である第２のケーブルシースを長手方向の一部において剥ぎ取ることができるため、簡単にかつ同時にさらには光ファイバ心線を接続することなく、ケーブルの形状と色を、１本の光ファイバドロップケーブルの長手方向の一部において屋外用途に適したものから屋内用途に適したものに変えることができる。
【００２５】
なお、光ファイバ心線と、該光ファイバ心線を挟んでその両側に配置される少なくとも１対の抗張力体と、前記光ファイバ心線と前記第１の抗張力体とを被覆する第１のケーブルシースとを有し、更に、支持線と、前記第１のケーブルシースと前記支持線とを被覆する第２のケーブルシースとを有する光ファイバドロップケーブルである場合、前記第２のケーブルシースを剥離するための剥離手段が設けられているのであれば、外層である第２のケーブルシースを長手方向の一部において剥ぎ取ることができ、簡単にかつ同時にさらには光ファイバ心線を接続することなく、ケーブルの形状を、１本の光ファイバドロップケーブルの長手方向の一部において屋外用途に適したものから屋内用途に適したものに変えることができる。それ故、前記第２のケーブルシースを剥離するための剥離手段としては、ノッチ或いは切り裂き紐に限らず、前記第２のケーブルシースの内層に剥離しやすい層が設けられていても良いし、或いは前記第２のケーブルシース自体に剥離剤が添加されていても良い。
【００２６】
本発明において、光ファイバドロップケーブル内の光ファイバ心線は、特に種類や形状が限定されるものではないが、好適に用いられる例として、コアとクラッドからなるガラス体の光ファイバの外周に紫外線硬化樹脂が被覆されてなるものが挙げられる。なお、光ファイバ心線は、図１においては２本、図２においては４本、図３においては１本設けられているが、これがより多数であっても良く、または複数の光ファイバがテープ状に一体化された光ファイバ心線となっていても良い。また、他の構成要素においても材質が限定されるものではないが、抗張力体は、鋼やアラミドＦＲＰ（繊維強化プラスチック）等を用いることができ、支持線は、鋼線やＦＲＰ線等を用いることができ、好適には、亜鉛アルミ合金メッキ鋼線が用いられるし、第１及び第２のケーブルシースは、難燃ポリエチレン（ＦＲＰＥ）が好適に用いられる。なお、第１及び第２のケーブルシースの着色においては、好適には着色すべきケーブルシースの最外層に着色用顔料を含ませることによって色彩が施される。
【００２７】
次に、図４を用いて本発明の光ファイバドロップケーブルの一使用例を示す。本図において、４１が本発明の光ファイバドロップケーブルであり、４２が架空布設用光ファイバケーブル、４３が電柱、４４が架空クロージャ、４５が加入者宅、４６が屋外光成端箱、４７が光端末回線装置すなわちOptical Network Unit以下ＯＮＵを示している。多数の光ファイバ心線を備えた架空布設用光ファイバケーブル４２は電柱４３上に設置された架空クロージャ４４において、各加入者宅に引き落とす光ファイバドロップケーブル４１と光ファイバ心線同士接続される。光ファイバドロップケーブル４１は、架空クロージャ４４から加入者宅４５の軒下に設置された屋外光成端箱４６を経由して、加入者宅４５の屋内に引き込まれ、ＯＮＵ４７まで布線されて接続される。架空クロージャ４４と屋外光成端箱４６との間において、光ファイバドロップケーブル４１は、その構成要素である第２のケーブルシースを付けた状態で支持線付きの光ファイバドロップケーブルとして使用され、支持線が架空クロージャ４４と屋外光成端箱４６との間で支持されている。また、屋外光成端箱４６とＯＮＵ４７との間において、光ファイバドロップケーブル４１は、その構成要素である第２のケーブルシースを剥した状態で支持線無しの光ファイバドロップケーブルとして使用され、屋内の壁面、床面などに布線されている。屋外光成端箱４６においては、光ファイバドロップケーブル４１の長手方向のうち第２のケーブルシースが剥されている部分と剥されていない部分との境目が固定されている。よって、屋外に設置された架空クロージャ４４と屋内に設置されたＯＮＵ４７との間を１本の光ファイバドロップケーブルにより結ぶことができる。本発明の光ファイバドロップケーブルにおいては、屋内用と屋外用の光ファイバドロップケーブルを１本の光ファイバドロップケーブルで兼用することができるため、屋内用と屋外用の２本のケーブルを準備して接続する場合に比較して、接続点での挿入損失がないため光学的な特性を向上することができる。また、第２のケーブルシースに設けられたノッチ等の剥離手段により、簡単にケーブル長手方向の一部において第２のケーブルシースを剥ぐことができるので、手間が掛からず経済的かつ効率的に、屋外に設置された架空クロージャ４４と屋内に設置されたＯＮＵ４７との間に光ファイバドロップケーブルを布設することができる。
【産業上の利用可能性】
【００２８】
以上説明したように、本発明の光ファイバドロップケーブルは、経済的かつ効率的に布設を実現することについて有用である。  
【図面の簡単な説明】
【００２９】
【図１】本発明に係わる光ファイバドロップケーブルの一実施例を示す断面図である。
【図２】本発明に係わる光ファイバドロップケーブルの別の実施例を示す断面図である。
【図３】本発明に係わる光ファイバドロップケーブルの更に別の実施例を示す断面図である。
【図４】本発明に係わる光ファイバドロップケーブルの使用例を示す構成図である。
【符号の説明】
【００３０】
１、２、３、４１                                    ・・・光ファイバドロップケーブル
１１、２１、３１                                    ・・・光ファイバ心線
１２ａ、１２ｂ、２２ａ、２２ｂ、３２ａ、３２ｂ      ・・・抗張力体
１３、２３、３３                                    ・・・第１のケーブルシース
１４、２４、３４                                    ・・・支持線
１５、２５、３５                                    ・・・第２のケーブルシース
１６、１７ａ、１７ｂ、２７ａ、２７ｂ、３６ａ、３６ｂ、３７ａ、３７ｂ・・・ノッチ
２６                                                ・・・切り裂き紐
４２                                                ・・・架空布設用光ファイバケーブル
４３                                                ・・・電柱
４４                                                ・・・架空クロージャ
４５                                                ・・・加入者宅
４６                                                ・・・屋外光成端箱
４７                                                ・・・ＯＮＵ
【図１】
2006337499.tif 000003
【図２】
2006337499.tif 000004
【図３】
2006337499.tif 000005
【図４】
2006337499.tif 000006